(57)【要約】  本発明は、２本の旋回取付け軸（ヒンジを備えた）によって囲まれる主要な展開ストリップ（２）を備えた開放可能な締金（１）を備え、前記主要な展開ストリップ（２）がその内側面が着脱自在のインサート（１０）を着脱自在に収納するのに適した形状の開口部を区切るフレームを有することを特徴とするブレスレット用の締着具に関する。【選択図】図１
2018536523.tif 000002
【特許請求の範囲】
【請求項１】
２本の旋回取付けピンによって囲まれる主要折畳みブレード（２）を備えた折畳み締金（１）を備えるブレスレット用の締着具であって、
前記主要折畳みブレード（２）は、その内側面（９）がインサート（２０）を収納して、着脱自在に保持するのに適した形状の開口部（１０）を区切るフレーム（８）を備えることを特徴とする締着具。
【請求項２】
前記開口部（１０）は、前記インサート（２０）の外側面の対応する要素と協働するように配置される少なくとも２つの係止要素（７）を備える請求項１に記載の締着具。
【請求項３】
前記係止要素は、前記インサート（２０）の前記外側面に設けられた対応する止め子を収納するのに適した横方向の切欠き（７）により構成される請求項２に記載の締着具。
【請求項４】
前記係止要素は、ボールつめ、スプリングボール、又は磁石を備える請求項３に記載の締着具。
【請求項５】
前記フレーム（８）の前記開口部（１０）は、ほぼ長方形の形状を有する請求項１〜４のいずれか一項に記載の締着具。
【請求項６】
一方では、２本の旋回取付けピン（１１）によって囲まれた主要折畳みブレード（２）を備えた折畳み締金（１）を備える締着具であって、前記主要折畳みブレード（２）は、その内側面（９）がインサート（２０）を着脱自在に受け入れて保持するのに適した形状の開口部（１０）を区切るフレーム（８）を備える締着具を、そして他方では、前記インサートを保持するために前記フレーム（８）の前記開口部（１０）と協働する横方向の外側面（２４）を有するインサート（２０）を備えるストラップ用、特に腕時計のバンド用のアセンブリ。
【請求項７】
前記フレーム（８）は、その内側面（９）に、前記インサート（２０）の前記外側面の対応する要素と協働する少なくとも２つの係止要素（７）を備える請求項６に記載のアセンブリ。
【請求項８】
前記主要折畳みブレード（２）はフレアーのＵ形状を有し、前記インサート（２０）は、前記締着具の下面の下で前記Ｕ形状の前記開口部を通して挿入可能である請求項６又は７に記載のアセンブリ。
【請求項９】
前記インサート（２０）は、前記インサートの前記横側面（２４）に配置される少なくとも２つの固定止め子（２１）を備える請求項６〜８のいずれか一項に記載のアセンブリ。
【請求項１０】
前記インサート（２０）は、センサー、特に生体センサー、又は加速度計、又はバイブレータである請求項６〜９のいずれか一項に記載のアセンブリ。
【請求項１１】
前記インサート（２０）は、データを外部装置と交換するように構成される請求項６〜９のいずれか一項に記載のアセンブリ。
【請求項１２】
前記長い折畳みブレード（３）及び短い折畳みブレード（４）は、前記インサートにおいて前記締着具の閉位置を検出するために前記インサート（２０）の閉鎖検出器（２５）と協働するのに適した少なくとも一つの閉鎖接点（６）を備える請求項４〜１０のいずれか一項に記載のアセンブリ。
【請求項１３】
前記フレーム（８）は、ボタンに作用することによって前記インサートの機能を制御するために前記インサートの部分（２２）と協働するのに適した前記制御ボタン（５）を備える請求項６〜１２のいずれか一項に記載のアセンブリ。
【請求項１４】
センサー、特に生体センサー、又は加速度計、又はバイブレータ、及び前記インサートを締金に着脱自在に取り付けるための前記インサートの前記横側面（２４）の少なくとも２つの係止要素（２１）を備える請求項６〜１３のいずれか一項に記載の前記ブレスレットアセンブリ用の着脱自在のインサート（２０）。
【発明の詳細な説明】
【技術分野】
【０００１】
[0001] 本発明は、ブレスレット用の、特に腕時計のバンド用の折畳み締金付きの締着具に関する。本発明はまた、折畳み締金及びインサート付きの締着具を有するブレスレット用の一群の部品を提供する。本発明は、時計製造業の分野において、特に腕時計用であるが、他の用途にも、例えばベルト用に使用することができる。
【背景技術】
【０００２】
[0002]多くのブレスレット閉鎖装置は現在では公知である。従来は、この種の締着具は折畳み締金を備える。これらの装置は、ヒンジによって一緒に組み立てられる一組のブレードを備える。これらの装置は、通常、ブレードによってブレスレットがより長い長さを有することができる、拡張した形又は配置、及びブレスレットがユーザーの手首に取り付けられる構成に対応する、ブレスレットがより短い長さを有することができる、ブレードの面の少なくとも一部が実質的に重畳される、閉じた形又は配置をとることができるように設計される。
【０００３】
[0003]通常取付けられて、ブレスレット自体のそれらに関連した機能を目的とする特定の要素を備える数種類の締着具も公知である。例えば、特許文献１は、ブレスレットの長さの微調整用のブレスレット締金を記載している。このために、締金は、ブレスレットの長さを決定するように、切欠きの１つに係合可能である、歯を有するいくつかの切欠きを備えたラックを備える。締金は、挿入された歯を切欠きの１つに保持するために、磁石又は弾性部材を含む。
【０００４】
[0004]この種類の装置が、ブレスレットに固有の機能又は特徴、例えば快適さ、着けたり外したりの容易さ等を最適化することは注目に値する。
【０００５】
[0005]ＲＦＩＤ又は他の要素のような電子的要素を収納するか又は組み込むように特に設計された腕時計のブレスレットも公知である。
【０００６】
[0006]例えば、特許文献２は、ブレスレットの堅いゾーンに組み込まれたアンテナを備えた、腕時計のバンド用の電子タグを記載している。ブレスレットは、タグ及び特にアンテナの組み込みを可能にするように特に構成される。
【０００７】
[0007]特許文献３は、アンテナ及びＲＦＩＤ素子が配置される下層を備えるＲＦＩＤブレスレットを開示しており、アセンブリ全体はブレスレットの主要層によってカバーされる。実施形態は、アンテナ及びＲＦＩＤ素子の両方をブレスレットに組み込むために特に提示される。
【先行技術文献】
【特許文献】
【０００８】
【特許文献１】スイス公開特許第７０５０５８号明細書
【特許文献２】欧州特許第１２４０６１９号明細書
【特許文献３】国際公開第２００７/０１１５１４号明細書
【発明の概要】
【発明が解決しようとする課題】
【０００９】
[0008]これらの後の装置は、ブレスレットに固有のそれら以外の機能を実行することを可能にするが、最初に計画された以外の機能を提供するために、特定の複合体、費用のかかる実施態様、ほとんど柔軟性を呈しないことを必要とする。
【００１０】
[0009]従って、ブレスレットの完全な再設計を必要とせずに、ブレスレットに直接関連したそれらとは別であるか又は相補的な機能を実施するための解決策の必要がある。又はブレスレットはこの種の構成のために特に、そして永久に設けられる。
【課題を解決するための手段】
【００１１】
[0010]最初に、本発明の第１の目的は、全体サイズに影響を及ぼさずに、且つユーザーの快適さを妨げずにインサートを取り付けるために、特に腕時計のバンド用のブレスレット閉鎖装置を提供することである。
【００１２】
[0011]本発明の別の目的は、特に、インサートを着脱自在に取り付けることができるブレスレット用、特に腕時計のバンド用の閉鎖装置を提供することである。
【００１３】
[0012]本発明の更に別の目的は、特に、インサートをブレスレットの美観に影響を及ぼさずに取り付けることができるブレスレット用の、特に腕時計のバンド用の閉鎖装置を提供することである。
【００１４】
[0013]これを行うため、本発明は、２本の旋回取付けピン（ヒンジを備えた）によって囲まれる主要折畳みブレードを備えた折畳み締金を備えるブレスレット用の締着具を提供する。前記主要折畳みブレードは、その内側面がインサートを好ましくは着脱自在に収納するのに適した形状の開口部を区切るフレームを備えている。
【００１５】
[0014]この種の固定装置は、締着具及び／又はブレスレットの美観に影響を及ぼさずに、相補型要素の簡単且つ有効な組み込みを可能にする。インサートは、例えばインサートのパラメータの更新を実行するために、それを別の種類のインサートと交換するか又はそれを取り外すことを可能にするために有利に着脱可能である。締金における組み込みは、ユーザーの快適さのレベルを維持すると共に、非常に目立たない。
【００１６】
[0015]有利なことに、開口部は、インサートの外側面に設けられた対応する止め子を収納するのに適した、少なくとも２つの横方向の切欠きを備える。この種の切欠きは、インサートの対応する止め子と連動して、簡単な配置及び良好な位置決めを可能にする。切欠き及び／又は突付け部を調整することによって、インサートの配置は、機能的又は美的ニーズに従って構成できる。
【００１７】
[0016]フレームの開口部は、好ましくはほぼ長方形の形状である。この形状は、高品質で外観及び見栄えを達成するのが容易である多くの種類のインサートの組み込みを可能にする。他の変形によれば、多少細長い、及び／又は多少丸い、他の形状が提供される。
【００１８】
[0017]本発明は、一方では、２本の旋回取付けピン（ヒンジを備えた）によって囲まれた主要折畳みブレードを備えた折畳み締金を備える締着具であって、前記主要折畳みブレードは、その内側面がインサートを好ましくは着脱自在に収納するのに適した開口部を区切るフレームを備える締着具を、そして他方では、インサートをフレームの前記開口部に挿入するように実質的に適した横方向の外側面を有する前記インサートを備えるブレスレット用、特に腕時計のバンド用のアセンブリを更に提供する。
【００１９】
[0018]この種のアセンブリは、締着具の美観を維持すると共に、簡単な、経済的な、人間工学的な方法で、締金及びインサートの広範囲にわたる組合せの実現を可能にする。
【００２０】
[0019]有利なことに、フレームは、その内側面に、インサートの固定止め子を収納するのに適した少なくとも２つの切欠きを備える。
【００２１】
[0020]主要折畳みブレードは、好ましくはフレアーのＵ形状を有し、インサートは、即ち締金の下、手首側から前記Ｕの開口部を通して挿入可能である。この輪郭をつけられた形状は、インサートの取付け及び／又は取外しを容易にすると共に、とても快適なように、ユーザーの手首の湾曲を考慮に入れることを可能にする。
【００２２】
[0021]有利な実施形態によれば、インサートは、インサートの横側面に配置される少なくとも２つの固定止め子を備える。
【００２３】
[0022]いずれかの実施形態に応じて、インサートは、電子的要素又はセンサー、特に生体センサー、又は加速度計、又はバイブレータである。
【００２４】
[0023]有利な実施形態によれば、インサートは、データを外部装置（例えばコンピュータ、タブレット、スマートフォン等）と交換するように構成される。
【００２５】
[0024]有利な実施形態によれば、長短の折畳みブレードは、インサートの閉鎖検出器と協働できる閉鎖接点を備えている。
【００２６】
[0025]別の有利な実施形態によれば、フレームは、インサートのインタフェースパッドと協働するのに適した制御ボタンを備えている。
【００２７】
[0026]本発明はまた、前述したようにブレスレットのアセンブリ用の折畳み締金締着具を提供する。
【００２８】
[0027]本発明は更に、前述したようにブレスレットアセンブリのインサートを提供する。
【００２９】
[0028]最後に、本発明はまた、前述したように固定ストラップを備える腕時計のバンドを提供する。
【００３０】
[0029]実施形態の概念と関連するすべての詳細は、非限定的な実施例を提供するためだけに示される、単一図面により補足される以下の説明に示される。
【図面の簡単な説明】
【００３１】
【図１】インサートの導入の前の本発明による折畳み締金の例示的実施形態の斜視図を示す。
【発明を実施するための形態】
【００３２】
[0030]図１は、本発明の実施形態による締金を例示する。図示するように、締金は、実質的にフレアーの逆Ｕ字形を形成する、かなり細長いアーチ型の主要ブレード２から成る。主要ブレード２の第１の側部で、長い折畳みブレード３は、ヒンジ１１によって主要ブレード２に連結している。同様に、主要ブレード２の他の側部に、短い折畳みブレード４は、同様にヒンジ１１によって、主要ブレード２に連結している。折畳みブレード３及び４のそれぞれの長さは、実施形態及び締金の寸法に従って変わることができる。締金のブレードは、閉位置と開位置の間を動くように構成される。これらの位置の第１において、主要折畳みブレード以外のブレードの少なくとも１つは、主要折畳みブレードに対して少なくとも部分的に重畳される。このモードによって、ブレスレットの閉鎖がユーザーの手首にしっかりと合わせることができる。開位置では、ブレードは、ブレスレットの周囲を拡大するために枢動して、展開される。
【００３３】
[0031]締金が革のストラップのような柔軟なブレスレットを備えた腕時計で用いる場合には、締金の一方の側で、シャンク１５は腕時計のバンドへの取付けを可能にする。他方の側で、固定フィンガー１４はブレスレットの穴の１つに挿入できる。
【００３４】
[0032]示される例示的実施形態において、カバー１２との界面で長い折畳みブレード３に設けられる締金押しボタン１３は、折畳み締金を解錠して閉モードから展開モードへ切り換えることを可能にする。
【００３５】
[0033]図示の実施形態では、長い折畳みブレード３及び短い折畳みブレード４は、インサートに設けられたループ閉鎖検出器２５と協働するように構成された閉鎖接点６を備えている。図示の例では、閉鎖検出器２５はインサートの外側面に配置されている。長い折畳みブレード３及び短い折畳みブレード４が閉位置にあるときに、これらのブレードの接点６は検出器２５と協働して、折畳み締金の閉位置を示す。インサート２０は対応するパルスを受信し、このようにして実施形態及び使用状況によって、特定の機能を実施する（又は実施しない）ためのデータを有する。
【００３６】
[0034]また、図１に示すように、主要折畳みブレード２は、内側面９がインサート２０を好ましくは着脱自在に収納できる開口部１０を区切るフレーム８を備える。係止要素７、例えば固定切欠き７は、フレームの内側面９に設けられる。これらの切欠き７によって、インサート２０を適切に配置して、対応する要素、例えばインサート２０の外側面２４に設けられる固定止め子２１によってそれを適所に係止できる。止め子２１は、切欠き７と協働して、フレームに固定するインサート２０を保持する。インサートを適所に保持することを確実にするために、切欠き７及び／又は止め子２１は、固定手段、例えばボールつめ（ｃｌｉｑｕｅｔｓ  ａ  ｂｉｌｌｅｓ）、スプリングボール、磁石等から成ることができる。インサートは、止め子を切欠きに圧入することによって固定して、それを上から押すことによってフレームから分離できる。締金が着けられて、手首にあるときに、インサートを取り外すことができない。
【００３７】
[0035]ベアリング突付け部２１及び切欠き７の位置は、センサーの最適動作のために、締着具の閉モードにおいてインサートの内面とユーザーの皮膚の間の距離の調整を可能にするように設けられる。インサート２０及びフレーム８の寸法及び形状に応じて、はめこんだインサートの底面がフレームのベースに十分に合わせられるように、又はインサートの底面がフレームの下で広がるように、ストラップ用のアセンブリを構成できる。
【００３８】
[0036]例示される実施例において、フレーム８の内側面９及びインサート２０の外側面２４は、ほぼ長方形の対応する形状であり、それぞれの寸法は、インサート２０の開口部１０への簡単な挿入及び取り出しを可能にする。
【００３９】
[0037]フレーム８に設けられる制御ボタン５は、インサート２０の部分２２、例えばインタフェースパッド２２と共同するように配置される。この制御ボタン５は、例えばセンサーによる生体読取又は測定、或いはデータ伝送を始めるために、パッドに作用することによってインサートの１つ以上の機能を実施するために作動される。インサートの２つの別々の機能を起動させるために、制御ボタンをフレームの各側面に設けることができる。伸縮バネ（図面に示さず）は、各推進器を外側の方へ押すことを可能にする。
【００４０】
[0038]インサート２０は、好ましくは、電子モジュール、センサー、又は振動要素である。ユーザーインタフェース２３は、好ましくは、ユーザー側に設けられる。有利な実施形態によれば、インサート２０は生体センサーである。この場合、ユーザーインタフェース２３は、ブレスレットが適所にあり、そして締金が閉位置にあるときにユーザーの皮膚のすぐ近くにあるように、インサートの下に設けられる生体インタフェースである。この生体インタフェースによって、生体センサーが、その特定の機能、例えば皮膚の組織又は部位を認識する機能を実施できる。
【００４１】
[0039]インサートは、好ましくは、外部要素、例えばコンピュータ又はタブレットとの連結を容易にして、例えばパラメータの更新又はカスタム化を実行するために、そして／又は電気的再充電を実行するために、コネクタ（図示せず）、例えばＵＳＢコネクタ等を備える。本発明の締金のため、インサートは、外部素子とのこの種の接続を実行することを可能にするために、締金のその挿入された位置から迅速且つ容易に取り出すことができる。一旦更新が完了すると、インサートは締金の適所に戻される。
【００４２】
[0040]本発明が、ちょうど今説明された実施形態に限らないこと、そしてさまざまな異なる実施形態が、当業者によって本発明の範囲を逸脱せずに想定されることができることは言うまでもない。例えば、フレーム８及び／又はその内側面９の寸法を変更することによって、寸法及び形状が示された例示的実施形態と異なることがありえるブレスレットアセンブリを設計することが可能である。
【符号の説明】
【００４３】
１    折畳み締金
２    主要折畳みブレード
３    長い折畳みブレード
４    短い折畳みブレード
５    制御ボタン
６    折畳み締金の閉鎖接点
７    係止要素、例えば固定切欠き
８    フレーム
９    フレームの内側面
１０  開口部
１１  ヒンジ
１２  カバー
１３  締金押しボタン
１４  取付けフィンガー
１５  リストストラップ
２０  着脱自在のインサート
２１  固定止め子
２２  インタフェースパッド
２３  ユーザーインタフェース
２４  インサートの横側面
２５  閉鎖検出器
【図１】
2018536523.tif 000003
【国際調査報告】
2018536523.tif 000004
2018536523.tif 000005
2018536523.tif 000006
2018536523.tif 000007
2018536523.tif 000008
2018536523.tif 000009